Podtech/llm-jp-corpus-v4-ja_patent huggingface dataset:
【手続補正書】
【提出日】平成27年12月8日(2015.12.8)
【手続補正１】
【補正対象書類名】特許請求の範囲
【補正対象項目名】全文
【補正方法】変更
【補正の内容】
【特許請求の範囲】
【請求項１】
装置であって、
プロセッサー回路と、
前記プロセッサー回路において動作し、ユーザーから着信コールを受信し、前記着信コールの着信電話番号を識別するエンドポイント・コンポーネントと、
前記プロセッサー回路において動作し、前記着信電話番号に基づいて、動的にコンパイルされたカスタム音声メニュー、役割ベース音声メニュー、または汎用音声メニューを実行すべきか決定するメニュー引き出しコンポーネントと、
前記プロセッサー回路において動作し、前記音声メニューのうちの１つを前記ユーザーのために実行するメニュー実行コンポーネントと、
実行された前記音声メニューにおけるユーザー状態を持続させるよう動作するコール状態持続コンポーネントと、
を含む、装置。
【請求項２】
請求項１記載の装置において、前記メニュー引き出しコンポーネントが、前記ユーザーに特定の前記カスタム音声メニューを識別し、前記カスタム音声メニューをロードするように動作する、装置。
【請求項３】
請求項１記載の装置において、前記メニュー引き出しコンポーネントが、前記ユーザーに特定のカスタム音声スクリプトを引き出し、前記受信した着信コールに応答して、前記カスタム音声メニューを生成するために前記カスタム音声スクリプトをコンパイルするように動作する、装置。
【請求項４】
請求項１記載の装置において、前記メニュー引き出しコンポーネントが、前記ユーザーに特定のカスタム音声メニューが入手できないことを識別し、前記ユーザーに関連する役割に対して、前記役割ベース音声メニューを識別し、前記役割ベース音声メニューをロードするように動作する、装置。
【請求項５】
請求項１記載の装置において、前記メニュー引き出しコンポーネントが、前記ユーザーに特定のカスタム音声メニューが入手できないことを識別し、前記ユーザーに関連する役割に対する役割ベース音声メニューが入手できないことを識別し、前記汎用音声メニューをロードするように動作する、装置。
【請求項６】
請求項１記載の装置において、更に、カスタム・トリガーに少なくとも部分的に基づいて通知の通信のため、前記ユーザーへの発信電話コールを開始する通知コンポーネントを含む、装置。
【請求項７】
コンピューター実装方法であって、
ユーザーから着信コールを受信するステップと、
プロセッサー回路によって、前記着信コールの電話番号を識別するステップと、
前記電話番号に基づいて、動的にコンパイルされたカスタム音声メニュー、役割ベース音声メニュー、または汎用音声メニューを実行すべきか決定するステップであって、前記動的にコンパイルされたカスタム音声メニューが、前記ユーザーにより選択されるエレメントを含む、ステップと、
前記音声メニューのうちの１つを前記ユーザーのために実行するステップと、
実行された前記音声メニューにおけるユーザー状態を持続させるステップと、
を含む、コンピューター実装方法。
【請求項８】
請求項７記載のコンピューター実装方法であって、
前記ユーザーに特定の前記カスタム音声メニューを識別するステップと、
前記カスタム音声メニューをロードするステップと、
前記ユーザーに特定のカスタム音声スクリプトを引き出すステップと、
前記着信コールに応答して、前記カスタム音声メニューを生成するために、前記カスタム音声スクリプトをコンパイルするステップであって、前記カスタム音声スクリプトが、前記ユーザーからの入力を使用して、以前につくられた、ステップと、
を含む、コンピューター実装方法。
【請求項９】
請求項７記載のコンピューター実装方法であって、
前記ユーザーに特定のカスタム音声メニューが入手可能でないことを識別するステップと、
前記ユーザーに関連する役割に対する役割ベース音声メニューが入手可能でないことを識別するステップと、
前記汎用音声メニューをロードするステップと、
を含む、コンピューター実装方法。
【請求項１０】
命令を含む記憶媒体を含む製品であって、前記命令が実行されると、請求項７から９のいずれかに記載の方法をシステムに実行させる、製品。
【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
基地局(102または104)によっても使用されている通信リソースを使用して情報を伝達するように、前記基地局(102または104)のセル(106または108)内に位置する第1の通信デバイス(132または144)を動作させる方法であって、
トラフィックデータを伝達するために前記基地局(102または104)によって使用されているリソースブロックを識別するステップと、
情報を送信するのに使用するために前記第1の通信デバイス(132または144)に前記リソースブロック内で利用可能なトーンシンボルのセットを識別するステップと、
トラフィックデータを伝達するために前記基地局(102または104)によって使用されている識別されたリソースブロックのセットにおける限られた数の利用可能なトーンシンボル上でエネルギーを送信するステップによって、情報を伝達するステップであって、前記限られた数の利用可能なトーンシンボルは、識別されたリソースブロックの前記セットにおける各識別されたリソースブロック内の前記トーンシンボルの2パーセント未満を含み、前記伝達するステップが、前記情報を伝達するために位置符号化を使用するステップを含み、エネルギーが送信されるトーンシンボルの前記識別されたリソースブロック内の位置が、情報を伝達するために使用される、ステップと
を含み、
前記限られた数の利用可能なトーンシンボルは、パイロット信号を送信するために前記基地局(102または104)によって使用されるトーンシンボルを除外する、方法。
【請求項２】
識別されたリソースブロックのセットにおける限られた数の利用可能なトーンシンボル上でエネルギーを送信するステップが、トラフィックデータを送信するために前記第1の通信デバイスによって使用される最も高い送信電力レベル以上の送信電力レベルで個々のトーンシンボル上で電力を送信するステップを含む、請求項1に記載の方法。
【請求項３】
トラフィックデータを伝達するために前記基地局(102または104)によって使用されているリソースブロックを識別するステップが、
制御情報を送信するために使用されるリソースブロックおよびトラフィックデータを送信するために使用されるリソースブロックを識別する基地局送信スケジューリング情報を格納するステップと、
前記第1の通信デバイスを前記基地局(102または104)に同期させるステップと、
前記格納された基地局送信スケジューリング情報、および前記基地局(102または104)との前記第1の通信デバイスのタイミング同期に基づいて、トラフィックデータを送信するために前記基地局によって使用されるリソースブロックを識別するステップと
を含む、請求項1に記載の方法。
【請求項４】
情報を伝達するステップが、情報を伝達するためにエネルギーが送信される前記限られた数のトーンシンボルのうちの少なくとも1つの位相を使用するステップをさらに含む、請求項1に記載の方法。
【請求項５】
前記基地局(102または104)によって使用されているリソースブロックのセットにおける限られた数の利用可能なトーンシンボル上でエネルギーを送信するステップが、各識別されたリソースブロックのわずか単一のトーンシンボル上でエネルギーを送信するステップを含む、請求項4に記載の方法。
【請求項６】
各リソースブロックが少なくとも50個のトーンシンボルを含む、請求項5に記載の方法。
【請求項７】
前記第1の通信デバイス(132または144)がピアツーピアワイヤレス端末である、請求項1に記載の方法。
【請求項８】
前記第1の通信デバイス(132)が、前記基地局(102)に対応するマクロセル(106)内に位置するフェムトセルデバイスである、請求項1に記載の方法。
【請求項９】
トラフィックデータを伝達するために基地局によって使用されているリソースブロックを識別するための手段(404)と、
情報を送信するのに使用するために第1の通信デバイスに前記リソースブロック内で利用可能なトーンシンボルのセットを識別するための手段(412)と、
前記基地局によって使用されている識別されたリソースブロックのセットにおける限られた数の利用可能なトーンシンボル上でエネルギーを送信することによって、情報を伝達するための手段(414)であって、前記限られた数の利用可能なトーンシンボルは、識別されたリソースブロックの前記セットにおける各識別されたリソースブロック内の前記トーンシンボルの2パーセント未満を含み、前記伝達するための手段(414)が、前記情報を伝達するために位置符号化を使用するための手段(418)を含み、エネルギーが送信されるトーンシンボルの前記識別されたリソースブロック内の位置が、情報を伝達するために使用される、手段(414)と
を備え、
前記限られた数の利用可能なトーンシンボルは、パイロット信号を送信するために前記基地局(102または104)によって使用されるトーンシンボルを除外する、第1の通信デバイス(300)。
【請求項１０】
識別されたリソースブロックのセットにおける限られた数の利用可能なトーンシンボル上でエネルギーを送信することが、トラフィックデータを送信するために前記第1の通信デバイスによって使用される最も高い送信電力レベル以上の送信電力レベルで個々のトーンシンボル上で電力を送信することを含む、請求項9に記載の第1の通信デバイス(300)。
【請求項１１】
トラフィックデータを伝達するために前記基地局によって使用されているリソースブロックを識別するための前記手段(404)が、
制御情報を送信するために使用されるリソースブロックおよびトラフィックデータを送信するために使用されるリソースブロックを識別する基地局送信スケジューリング情報を格納するための手段(406)と、
前記第1の通信デバイスを前記基地局に同期させるための手段(408)と、
前記格納された基地局送信スケジューリング情報、および前記基地局との前記第1の通信デバイスのタイミング同期に基づいて、トラフィックデータを送信するために前記基地局によって使用されるリソースブロックを識別するための手段(410)と
を含む、請求項9に記載の第1の通信デバイス(300)。
【請求項１２】
情報を伝達するための前記手段(414)が、情報を伝達するためにエネルギーが送信される前記限られた数のトーンシンボルのうちの少なくとも1つの位相を使用する、請求項9に記載の第1の通信デバイス(300)。
【請求項１３】
第1の通信デバイス(300)において使用するためのコンピュータプログラムであって、
少なくとも1つのコンピュータに、請求項１から８の何れか１項に記載の方法を実行させるためのコード(404)を含む、コンピュータプログラム(300)。
【手続補正書】
【提出日】平成28年1月5日(2016.1.5)
【手続補正１】
【補正対象書類名】特許請求の範囲
【補正対象項目名】全文
【補正方法】変更
【補正の内容】
【特許請求の範囲】
【請求項１】
それぞれが基板内に可視光感受性領域を有した少なくとも１つの可視光ピクセルと、
前記基板内に赤外（ＩＲ）光感受性領域を有したＩＲピクセルであって、前記ＩＲ光感受性領域は、少なくとも１つの可視光ピクセルの前記可視光感受性領域の下方にある、ＩＲピクセルと、
前記基板内の電荷蓄積領域と、
前記電荷蓄積領域と少なくとも１つの可視光ピクセルの前記可視光感受性領域の間にある前記基板内のウェルであって、前記ウェルは、前記電荷蓄積領域と少なくとも１つの可視光ピクセルの前記可視光感受性領域の間に電気的な絶縁を与えるように構成される、ウェルと、
前記ＩＲ光感受性領域で発生した電荷を蓄積するためのポテンシャル井戸を前記電荷蓄積領域内に生じさせる電圧を供給するように構成された、前記電荷蓄積領域の上方にある電極と、
を備えた半導体光センサー。
【請求項２】
前記ウェルはｐウェルである、請求項１に記載の半導体光センサー。
【請求項３】
少なくとも１つの可視光ピクセルの前記可視光感受性領域と前記ＩＲピクセルの前記ＩＲ光感受性領域の少なくとも一部分の上に位置し、可視光及びＩＲ光を通すように構成されたフィルターを更に備えた請求項１に記載の半導体光センサー。
【請求項４】
異なる色の３つの可視光ピクセルと、ＩＲピクセルのための１つの電荷蓄積領域とからなる複数のグループを含んだパターンとして配置された請求項１に記載の半導体光センサー。
【請求項５】
前記グループ内の前記３つの可視光ピクセルは、緑色ピクセル、青色ピクセル、及び赤色ピクセルを含み、前記緑色ピクセルは、前記赤色ピクセルと前記青色ピクセルの約２倍の表面積である、請求項４に記載の半導体光センサー。
【請求項６】
前記電荷蓄積領域は、前記可視光ピクセルのいずれよりも小さい表面積にわたっている、請求項５に記載の半導体光センサー。
【請求項７】
前記電荷蓄積領域に関係した前記ＩＲ光感受性領域は、複数の異なる可視光ピクセルの部分の下に有効収集領域を有している、請求項４に記載の半導体光センサー。
【請求項８】
前記電極を覆う光学シールドを更に備えた請求項１に記載の半導体光センサー。
【請求項９】
半導体光センサーを動作させる方法であって、
基板の電荷蓄積領域にポテンシャル井戸を生成するための高電位を、前記電荷蓄積領域の上方にある光ゲートに供給するステップであって、前記電荷蓄積領域は、前記基板のｐウェルによって囲まれており、前記ポテンシャル井戸は、前記基板の可視光感受性領域の下方にある前記基板のＩＲ光感受性領域で発生した電荷を蓄積する、ステップと、
前記電荷蓄積領域からＩＲ光感知ノードへ電荷を移動させるための信号を、第１転送ゲートに供給するステップと、
前記可視光感受性領域から第１可視光ピクセル用の可視光感知ノードへ電荷を移動させるための信号を、第２転送ゲートに供給するステップであって、前記電荷蓄積領域は、前記電荷蓄積領域と前記可視光感受性領域との間に電気的な絶縁を与える前記ｐウェルによって前記可視光感受性領域から離れている、ステップと、
前記ＩＲ光感知ノードと前記可視光感知ノードを読み取るステップと、
を含む方法。
【請求項１０】
半導体光センサーアレイを備えた３Ｄ深度カメラであって、前記半導体光センサーアレイは、
それぞれが基板内にフォトダイオードを含んだ複数の可視光ピクセルと、
それぞれが前記フォトダイオードの少なくとも１つの少なくとも一部分の下方において前記基板内に赤外（ＩＲ）光感受性領域を含んだ複数のＩＲピクセルと、
前記ＩＲピクセルのそれぞれに関連する、前記基板内の電荷蓄積領域であって、前記関連するＩＲピクセルの前記ＩＲ光感受性領域で発生した電荷を蓄積するように構成された電荷蓄積領域と、
前記電荷蓄積領域のそれぞれに関連するｐウェル領域であって、各ｐウェル領域は、前記関連する電荷蓄積領域を１又は複数の隣接したフォトダイオードから分離するように構成され、前記ｐウェル領域は、前記関連する電荷蓄積領域と前記１又は複数の隣接したフォトダイオードとの間に電気的な絶縁を与えるように構成される、ｐウェル領域と、
前記電荷蓄積領域のそれぞれに関連する光ゲートであって、前記ＩＲ光感受性領域で発生した電荷を前記関連する蓄積領域に蓄積するためのポテンシャル井戸を、前記電荷蓄積領域に関連する前記ｐウェル領域の内部に生じさせる電圧を供給するように構成された光ゲートと、
を含む、３Ｄ深度カメラ。
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
デバイスによるワイヤレス通信のための方法であって、
第1のサブスクリプションと第2のサブスクリプションへの接続のために単一の無線ハードウェアリソースを共有する前記デバイスによって、前記第1のサブスクリプションおよび前記第2のサブスクリプションを使用して、少なくとも2つのネットワークとの前記接続を確立するステップと、
前記単一の無線ハードウェアリソースが利用不可能であることにより前記単一の無線ハードウェアリソースが前記第2のサブスクリプションへの前記接続について非稼動状態にある間、前記第1のサブスクリプションへの前記接続のために前記単一の無線ハードウェアリソースを利用し、前記第2のサブスクリプションへの前記接続のための電力節減モードに入るステップと、
前記単一の無線ハードウェアリソースが前記第2のサブスクリプションへの前記接続について非稼動状態にある間、前記デバイスのモビリティ状態の変化を検出するステップと、
前記単一の無線ハードウェアリソースが前記第2のサブスクリプションへの前記接続について非稼動状態にある間、前記モビリティ状態に少なくとも一部基づいて、前記第2のサブスクリプションへの前記接続のための電力節減期間を決定するステップと、
を含むことを特徴とする方法。
【請求項２】
前記モビリティ状態の変化を検出するステップが、
前記第1のサブスクリプションのセルの再選択、位置エリアの変化、および地上波公共移動通信ネットワーク(PLMN)の変化のうちの少なくとも1つを判定するステップを含む、請求項1に記載の方法。
【請求項３】
前記モビリティ状態の変化を検出するステップが、
前記第1のサブスクリプションのサービングセルの信号強度の、検出された変化を判定するステップを含む、請求項1に記載の方法。
【請求項４】
前記モビリティ状態の変化を検出するステップが、
前記第1のサブスクリプションの1つまたは複数の到達可能なセルからの信号の強度を測定することによって、三角測量を使用するステップを含む、請求項1に記載の方法。
【請求項５】
前記デバイスが前記第1のサブスクリプションおよび第2のサブスクリプションへの接続についてアイドル状態にあり、
前記モビリティ状態の変化の検出に応答して、前記第2のサブスクリプションのシステムの取得を実行するステップをさらに含む、請求項1に記載の方法。
【請求項６】
前記デバイスが、前記第1のサブスクリプションへの前記接続を使用してモバイルオリジネイテッドまたはターミネイテッドコールを取得し、
前記モバイルオリジネイテッドまたはターミネイテッドコールがそれぞれ終了した後で、前記第2のサブスクリプションのシステムの取得を実行するステップをさらに含む、請求項1に記載の方法。
【請求項７】
前記デバイスが、前記第1のサブスクリプションへの前記接続についてアイドル状態にあり、前記第2のサブスクリプションへの前記接続について非稼動状態にあり、
前記検出されたモビリティ状態の変化に基づいて、前記第2のサブスクリプションでシステムを探索するステップをさらに含む、請求項1に記載の方法。
【請求項８】
前記デバイスが、前記第2のサブスクリプションへの前記接続を使用してサービスを取得し、前記第1のサブスクリプションへの前記接続について非稼動状態にある、請求項7に記載の方法。
【請求項９】
ワイヤレス通信のためのデバイスであって、
第1のサブスクリプションと第2のサブスクリプションへの接続のために単一の無線ハードウェアリソースを共有する前記デバイスによって、前記第1のサブスクリプションおよび前記第2のサブスクリプションを使用して、少なくとも2つのネットワークとの前記接続を確立するための手段と、
前記単一の無線ハードウェアリソースが利用不可能であることにより前記単一の無線ハードウェアリソースが前記第2のサブスクリプションへの前記接続について非稼動状態にある間、前記第1のサブスクリプションへの前記接続のために前記単一の無線ハードウェアリソースを利用し、前記第2のサブスクリプションへの前記接続のための電力節減モードに入るための手段と、
前記単一の無線ハードウェアリソースが前記第2のサブスクリプションへの前記接続について非稼動状態にある間、前記デバイスのモビリティ状態の変化を検出するための手段と、
前記単一の無線ハードウェアリソースが前記第2のサブスクリプションへの前記接続について非稼動状態にある間、前記モビリティ状態に少なくとも一部基づいて、前記第2のサブスクリプションへの前記接続のための電力節減期間を決定するための手段と、
を含むことを特徴とするデバイス。
【請求項１０】
前記モビリティ状態の変化を検出するための前記手段が、
前記第1のサブスクリプションのセルの再選択、位置エリアの変化、および地上波公共移動通信ネットワーク(PLMN)の変化のうちの少なくとも1つを判定すること、または
前記第1のサブスクリプションのサービングセルの信号強度の、検出された変化を判定するための手段、または
前記第1のサブスクリプションの1つまたは複数の到達可能なセルからの信号の強度を測定することによって、三角測量を使用するための手段
を含む、請求項9に記載のデバイス。
【請求項１１】
前記デバイスが前記第1のサブスクリプションおよび第2のサブスクリプションへの接続についてアイドル状態にあり、
前記モビリティ状態の変化の検出に応答して、前記第2のサブスクリプションのシステムの取得を実行するための手段をさらに含む、請求項9に記載のデバイス。
【請求項１２】
前記デバイスが、前記第1のサブスクリプションへの前記接続を使用してモバイルオリジネイテッドまたはターミネイテッドコールを取得し、
前記モバイルオリジネイテッドまたはターミネイテッドコールがそれぞれ終了した後で、前記第2のサブスクリプションのシステムの取得を実行するための手段をさらに含む、請求項9に記載のデバイス。
【請求項１３】
前記デバイスが、前記第1のサブスクリプションへの前記接続についてアイドル状態にあり、前記第2のサブスクリプションへの前記接続について非稼動状態にあり、
前記検出されたモビリティ状態の変化に基づいて、前記第2のサブスクリプションでシステムを探索するための手段をさらに含む、請求項9に記載のデバイス。
【請求項１４】
前記デバイスが、異なるモデムプロセッサ上で実行される前記第1のサブスクリプションおよび第2のサブスクリプションへの前記接続のためのプロトコルスタックを有し、前記第1のサブスクリプションおよび第2のサブスクリプションへの前記接続がトランシーバを共有する、請求項9に記載のデバイス。
【請求項１５】
ワイヤレス通信のためのコンピュータプログラムであって、前記コンピュータプログラムが、請求項1から8のいずれか一項に記載の方法を実行するために1つまたは複数のプロセッサによって実行可能なコードを具備することを特徴とするコンピュータプログラム。
【手続補正書】
【提出日】平成27年12月2日(2015.12.2)
【手続補正１】
【補正対象書類名】特許請求の範囲
【補正対象項目名】全文
【補正方法】変更
【補正の内容】
【特許請求の範囲】
【請求項１】
混合金属がIII〜XII族遷移金属およびII族金属を含む、式I：
【化１】
2015504066.tif 000001
(式中、
Xは、CHまたはNを表し、
各R1は、独立して、水素または-CH2COR5を表し、
R5は、ヒドロキシ、任意選択によりヒドロキシル化されたアルコキシ、アミノまたはアルキルアミドを表し、
各R2は、独立して、ZYR6を表し、ここでZは、結合、またはC1〜3のアルキレン基もしくはオキソアルキレン基を表し、R7によって任意選択により置換されており、
Yは、結合、酸素原子またはNR6を表し、
R6は、水素原子、COOR8基、アルキル基、アルケニル基、シクロアルキル基、アリールまたはアラルキル基であり、COOR8、CONR82、NR82、OR8、=NR8、=O、OP(O)(OR8)R7およびOSO3Mから選択される1個または複数の基によって任意選択により置換されており、
R7は、ヒドロキシ、任意選択によりヒドロキシル化され、任意選択によりアルコキシ化されたアルキル基またはアミノアルキル基であり、
R8は、水素原子、または任意選択によりヒドロキシル化され、任意選択によりアルコキシ化されたアルキル基であり、
Mは、水素原子、または1当量の生理学的に容認できるカチオンであり、
R3は、C1〜8アルキレン基、1,2-シクロアルキレン基、または1,2-アリーレン基を表し、R7で任意選択により置換されており、
各R4は、独立して、水素またはC1〜3アルキルを表す。)
の化合物の混合金属錯体、またはその塩。
【請求項２】
R5がヒドロキシ、C1〜8アルコキシ、エチレングリコール、グリセロール、アミノまたはC1〜8アルキルアミドであり、Zが結合、またはCH2、(CH2)2、CO、CH2CO、CH2CH2COおよびCH2COCH2から選択される基であり、Yが結合であり、R6がモノまたはポリ(ヒドロキシまたはアルコキシ化された)アルキル基、または式OP(O)(OR8)R7であり、R7がヒドロキシ、または非置換のアルキル基またはアミノアルキル基である、請求項1に記載の混合金属錯体。
【請求項３】
R3がエチレンであり、各基R1が-CH2COR5を表し、ここでR5がヒドロキシである、請求項1または2に記載の混合金属マンガン錯体。
【請求項４】
式Iの化合物がN,N'-ビス-(ピリドキサール-5-ホスフェート)-エチレンジアミン-N,N'-二酢酸(DPDP)、またはN,N'-ジピリドキシルエチレンジアミン-N,N'-二酢酸(PLED)、またはその薬学的に許容される塩である、請求項1に記載の混合金属錯体。
【請求項５】
III〜XII族遷移金属がMn2+、Cu2+、Fe2+および/またはNi2+であり、II族金属がCa2+および/またはMg2+である、請求項1から4のいずれか一項に記載の混合金属錯体。
【請求項６】
III〜XII族遷移金属がMn2+であり、II族金属がCa2+、またはCa2+およびMg2+の混合物である、請求項1から5のいずれか一項に記載の混合金属錯体。
【請求項７】
II族金属が、約0.1〜50のCa2/Mg2+モル比におけるCa2+およびMg2+の混合物である、請求項6に記載の混合金属錯体
【請求項８】
III〜XII族遷移金属に対するII族金属のモル比が約1〜10である、請求項1から7のいずれか一項に記載の混合金属錯体。
【請求項９】
III〜XII族遷移金属がMn2+であり、II族金属がCa2+であり、Ca2+/Mn2+のモル比が約4である、請求項1から5のいずれか一項に記載の混合金属錯体。
【請求項１０】
凍結乾燥されている、請求項1から9のいずれか一項に記載の混合金属錯体。
【請求項１１】
請求項1から9のいずれか一項に記載の混合金属錯体、ならびに1種または複数の生理学的に許容される担体および/または賦形剤を含む医薬組成物。
【請求項１２】
III〜XII族遷移金属、II族金属、および式Iの化合物またはその塩の溶液からの一工程結晶化を含む、請求項1から9のいずれか一項に記載の混合金属錯体を生成する方法。
【請求項１３】
カルシウムマンガン錯体が、カルシウム、マンガン、および式Iの化合物またはその塩の溶液から一工程結晶化によって生成される、請求項12に記載の方法。
【請求項１４】
請求項1から10のいずれか一項に記載の混合金属錯体を、任意選択により1種または複数の生理学的に許容される担体および/または賦形剤と一緒に含む、患者における病態の処置のための医薬組成物。
【請求項１５】
病態が、酸素由来のフリーラジカルの存在によって引き起こされる、請求項14に記載の医薬組成物。
【請求項１６】
病態が、後続の脂質過酸化および/またはタンパク質ニトロ化をもたらすスーパーオキシドによって引き起こされる、請求項14に記載の医薬組成物。
【請求項１７】
病態が細胞毒性または細胞分裂停止性薬物損傷である、請求項14に記載の医薬組成物。
【請求項１８】
細胞毒性または細胞分裂停止性薬物が癌処置薬物である、請求項17に記載の医薬組成物。
【請求項１９】
細胞毒性または細胞分裂停止性薬物が、ドキソルビシン、エピルビシン、オキサリプラチン、カルボプラチン、シスプラチン、5-フルオロウラシル、ドセタキセルまたはパクリタキセルの少なくとも1つを含む、請求項17に記載の医薬組成物。
【請求項２０】
病態が骨髄抑制もしくは神経毒性または両方である、請求項14に記載の医薬組成物。
【請求項２１】
病態が虚血再灌流誘発損傷である、請求項14に記載の医薬組成物。
【請求項２２】
病態がアテローム性動脈硬化症および/または糖尿病に関連する、請求項14に記載の医薬組成物。
【請求項２３】
病態が、血栓溶解処置、心肺バイパス、もしくは経皮経管的血管形成術に関連するか、または心臓もしくは臓器移植外科手術もしくは卒中発作の結果である、請求項14に記載の医薬組成物。
【請求項２４】
病態がアセトアミノフェン誘発急性肝不全である、請求項14に記載の医薬組成物。
【請求項２５】
病態が鉄または銅の病態である、請求項14に記載の医薬組成物。
【請求項２６】
病態がサラセミア、鎌状赤血球貧血、輸血性ヘモジデリン沈着またはウィルソン病である、請求項14に記載の医薬組成物。
【請求項２７】
病態が肝炎誘発肝硬変、非アルコール性脂肪性肝炎(NASH)またはウイルス誘発慢性肝炎である、請求項14に記載の医薬組成物。
【請求項２８】
病態が放射線誘発損傷である、請求項14に記載の医薬組成物。
【請求項２９】
病態が、低マンガンスーパーオキシドジスムターゼ(MnSOD)活性である、請求項14に記載の医薬組成物。
【請求項３０】
病態が非小細胞肺癌、直腸結腸癌、前立腺癌、乳癌、膵癌または悪性黒色腫である、請求項14に記載の医薬組成物。
【請求項３１】
前記患者の体重に対し、約0.01μmol/kgから50μmol/kg体重の混合金属錯体を含む、請求項14から30のいずれか一項に記載の医薬組成物。
【手続補正書】
【提出日】平成27年11月9日(2015.11.9)
【手続補正１】
【補正対象書類名】特許請求の範囲
【補正対象項目名】全文
【補正方法】変更
【補正の内容】
【特許請求の範囲】
【請求項１】
エステル交換触媒としてのアルキルチタネート、および少なくとも１つの重合阻害剤の存在下における軽質アルコールアクリレートと２−オクタノールとの間でのエステル交換反応による、２−オクチルアクリレートの連続生成のための方法であって、
軽質アルコールアクリレートおよびエステル交換反応により発生した軽質アルコールからなる共沸混合物が反応中に連続的に取り出され、反応混合物が、一方では純粋な２−オクチルアクリレートを得、他方では再利用されることを意図された未反応の２−オクタノールおよび軽質アルコールアクリレート化合物、さらには再利用されることを意図された触媒を得るために、少なくとも２つの蒸留カラムを備える精製処理を施され、前記方法は
−（ｉ）触媒が、２−オクタノール中に溶解したエチルチタネートおよび２−オクチルチタネートから選択され、
−（ｉｉ）触媒の予備的分離が、減圧下の第１の蒸留カラム（Ｃ１）に、軽質生成物としての未反応の２−オクタノールおよび軽質アルコールアクリレートならびに重質生成物としての触媒、１つまたは複数の重合阻害剤、さらには重質反応生成物を有する、所望の２−オクチルアクリレートを含む粗製反応混合物を供給することにより実施され、蒸留が、
○最上部において、ごくわずかな重合阻害剤を含むが触媒を含まないまたは実質的に含まない、２−オクチルアクリレートおよび軽質生成物から本質的に構成される流れを得ること、ならびに
○底部において、触媒、重合阻害剤およびごくわずかな２−オクチルアクリレートを有し、反応段階に再利用されることになる、重質反応生成物の流れを得ること
を可能にする、第１のカラム（Ｃ１）内で実施され、次いで、
−（ｉｉｉ）第１の蒸留カラム（Ｃ１）からの最上部流の蒸留により、未反応の２−オクタノールおよび軽質アルコールアクリレート化合物、重合阻害剤を含む画分ならびに純粋な２−オクチルアクリレートが分離され、
−（ｉｖ）所望の純粋な２−オクチルアクリレートが回収され、
−（ｖ）未反応の２−オクタノールおよび軽質アルコールアクリレート化合物が、反応段階に再利用され、
（ｖｉ）重合阻害剤を含む画分が、触媒の分離のためのカラム（Ｃ１）に送られる
ことを特徴とする、方法。
【請求項２】
プロセスの段階（ｉｉｉ）が、下記の２つのサブ段階（ｉｉｉ１）およびサブ段階（ｉｉｉ２）から実施され：
−（ｉｉｉ１）第１の蒸留カラム（Ｃ１）からの最上部流が、
○最上部において、ごくわずかな２−オクチルアクリレートを有する、未反応の２−オクタノールおよび軽質アルコールアクリレートから本質的になる流れを得ること、ならびに
○底部において、微量の未反応の生成物および重合阻害剤を含む２−オクチルアクリレートを得ること
を可能にする蒸留が実施される、減圧下の第２の蒸留カラム（Ｃ２）に送られ、次いで、
−（ｉｉｉ２）第２の蒸留カラム（Ｃ２）からの底部流が、
○最上部において、所望の純粋な２−オクチルアクリレートを分離すること、および
○底部において、２−オクチルアクリレート中に溶解した重合阻害剤を分離すること
を可能にする精留が実施される、減圧下の第３の蒸留カラム（Ｃ３）に送られることを特徴とする、請求項１に記載の方法。
【請求項３】
プロセスの段階（ｉｉｉ）および段階（ｉｖ）が、最上部流を第１のカラム（Ｃ１）から、
○最上部において、ごくわずかな２−オクチルアクリレートを有する、未反応の２−オクタノールおよび軽質アルコールアクリレートから本質的になる流れを得ること、
○底部において、わずかな２−オクチルアクリレートおよび未反応の生成物を有する、重合阻害剤を含む流れを得ること、
ならびに側流により所望の純粋な２−オクチルアクリレートを回収すること
を可能にする蒸留が実施される、減圧下の第２のカラム（Ｃ２’）まで送ることにより、同時に実施されることを特徴とする、請求項１に記載の方法。
【請求項４】
触媒が、２−オクチルチタネートであることを特徴とする、請求項１から請求項３のいずれか一項に記載の方法。
【請求項５】
触媒が、２−オクタノールの１モル当たり５×１０−４ｍｏｌから５×１０−２ｍｏｌまでの比率において使用されることを特徴とする、請求項１から請求項４のいずれか一項に記載の方法。
【請求項６】
反応が、エチルアクリレートから出発して実施されることを特徴とする、請求項１から請求項５のいずれか一項に記載の方法。
【請求項７】
軽質アルコールアクリレート／２−オクタノールのモル比が、１から３までの範囲であることを特徴とする、請求項１から請求項６のいずれか一項に記載の方法。
【請求項８】
エステル交換反応が、５００ｍｍＨｇ（０．６７×１０５Ｐａ）から大気圧（１０５Ｐａ）の間の圧力および９０℃から１３０℃までの範囲の温度において実施されることを特徴とする、請求項１から請求項７のいずれか一項に記載の方法。
【請求項９】
軽質アルコールアクリレートが、再生可能な起源のエチルアクリレートであることを特徴とする、請求項１から請求項８のいずれか一項に記載の方法。
【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
生物活性化合物および液体ビヒクルを含む組成物であって、前記液体ビヒクルが、式：
ＲＦＲＨ
（式中、ＲＦは、４から１２個の炭素原子を有する直鎖状全フッ素化炭化水素セグメントであり、ＲＨは、４から８個の炭素原子を有する直鎖状アルキル基である）で表されるセミフッ素化アルカンを含み；前記生物活性化合物が、ポリペプチドおよびタンパク質から選択される、治療剤もしくは診断剤またはワクチンであり、分散液または懸濁液を生じさせるためなどに前記組成物中に組み込まれる、組成物。
【請求項２】
前記ポリペプチドまたはタンパク質が、少なくとも１，５００Ｄａ、特に少なくとも２，０００Ｄａの分子量を有する、請求項１に記載の組成物。
【請求項３】
前記生物活性化合物が、分解および／または凝集に感受性がある、請求項１または２に記載の組成物。
【請求項４】
前記生物活性化合物が、単一ドメインタンパク質または２ドメインタンパク質である、請求項１から３の何れかに記載の組成物。
【請求項５】
前記生物活性化合物がインスリンである、請求項１から４の何れかに記載の組成物。
【請求項６】
前記セミフッ素化アルカンが、Ｆ４Ｈ５、Ｆ４Ｈ６、Ｆ４Ｈ８、Ｆ６Ｈ４、Ｆ６Ｈ６、Ｆ６Ｈ８およびＦ６Ｈ１０から選択される、請求項１から５の何れかに記載の組成物。
【請求項７】
水を含まない、請求項１から６の何れかに記載の組成物。
【請求項８】
医薬としての使用のための、請求項１から７の何れかに記載の組成物。
【請求項９】
前記医薬が皮下、皮膚、筋肉内または局所注射による非経口投与のためのものである、請求項８に記載の医薬としての使用のための組成物。
【請求項１０】
前記医薬が、患者の眼、耳、肺、皮膚または鼻への局所投与のためのものである、請求項８に記載の医薬としての使用のための組成物。
【請求項１１】
ポリペプチドまたはタンパク質から選択される生物活性治療剤もしくは診断剤またはワクチンを含む組成物を調製する方法であって、式：
ＲＦＲＨ
（式中、ＲＦは、４から１２個の炭素原子を有する直鎖状全フッ素化炭化水素セグメントであり、ＲＨは、分散液または懸濁液を形成させるためなどの４から８個の炭素原子を有する直鎖状アルキル基である）
で表されるセミフッ素化アルカンを含む液体ビヒクル中に前記生物活性ポリペプチドまたはタンパク質を組み込む工程を含む、方法。
【請求項１２】
前記ポリペプチドまたはタンパク質が、少なくとも１，５００Ｄａ、特に少なくとも２，０００Ｄａの分子量を有する、請求項１１に記載の方法。
【請求項１３】
前記生物活性ポリペプチドまたはタンパク質が、分解および／または凝集に感受性がある、請求項１１または１２に記載の方法。
【請求項１４】
前記組成物が化学的におよび／または物理的に安定化されている、請求項１１から１３の何れかに記載の方法。
【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
空気濾過装置であって、
（ａ）フィルタエレメントを受容するようにそれぞれが構成される複数の小区画を含むハウジングと、
（ｂ）前記ハウジング上の第１の位置に配置される入口と、
（ｃ）前記入口、及び前記小区画のそれぞれと流体連通している上流側通気配分システムと、
（ｄ）それぞれの小区画と流体連通するように位置する下流側通気配分システムと、
（ｅ）前記下流側通気配分システムと流体連通している出口と、
を備え、前記上流側及び／又は下流側の通気配分システムは、それぞれの小区画を通じて実質的に同一の気流速度を生じさせるように構成される、濾過装置。
【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
媒体組成物中に分散される複数の微小粒子を含む、複合薬物送達材料であって、
前記微小粒子が、
薬物と、
生体侵食性材料または生分解性材料を含むコーティングと、を含み、
前記媒体組成物が、デポー形成材料中に分散されている前記薬物を含み、
前記媒体組成物が、投与前には液体形態であり、注入後の前記媒体の形態が固体またはゲルになるように、哺乳動物の体内に注入中、または注入後、実質的に粘度が増加するように構成される、前記複合薬物送達材料。
【請求項２】
眼疾患または眼外傷の治療方法に使用する為の請求項１に記載の複合薬物送達材料であって、前記方法が前記複合薬物送達材料をそれを必要とする哺乳動物の眼に注入することを含む、前記複合薬物送達材料。
【請求項３】
前記眼疾患が、黄斑変性症または糖尿病性網膜症である、請求項２に記載の複合薬物送達材料。
【請求項４】
前記薬物が、チモロール、ブリモニジン、ビマトプロスト、ケトロラック、デキサメタゾン、メマンチン、酢酸プレドニゾロン、トリアムシノロンアセトニド、ラニビズマブ、またはベバシズマブである、請求項１〜３のいずれか一項に記載の複合薬物送達材料。
【請求項５】
前記薬物が、ラニビズマブである、請求項１〜４のいずれか一項に記載の複合薬物送達材料。
【請求項６】
前記コーティングが、ポリラクチド、ポリ−ラクチド−コ−グリコリド、ポリビニルピロリジン、カルボキシメチルセルロース、ＰＶＣ、ヒドロキシメチルプロピルセルロース、ポリオルトエステル、またはポリエチレングリコールを含む、請求項１〜５のいずれか一項に記載の複合薬物送達材料。
【請求項７】
前記コーティングが、ポリラクチドを含む、請求項１〜６のいずれか一項に記載の複合薬物送達材料。
【請求項８】
前記コーティングが、約１μｍ〜約５μｍの厚さを有する、請求項１〜７のいずれか一項に記載の複合薬物送達材料。
【請求項９】
前記複数の微小粒子が、
約１μｍの厚さを有するポリマーコーティングを含む、第１の微小球型と、
約２μｍの厚さを有するポリマーコーティングを含む、第２の微小球型と、
約３μｍの厚さを有するポリマーコーティングを含む、第３の微小球型と、
約４μｍの厚さを有するポリマーコーティングを含む、第４の微小球型と、
約５μｍの厚さを有するポリマーコーティングを含む、第５の微小球型と、を含む、請求項１〜８のいずれか一項に記載の複合薬物送達材料。
【請求項１０】
前記微小粒子が、薬物とともに装填されるポリ−ラクチド−コ−グリコリド、ポリラクチド、またはそれらの組み合わせを更に含む、請求項１〜９のいずれか一項に記載の複合薬物送達材料。
【請求項１１】
前記デポー形成材料が、ポリ−ラクチド−コ−グリコリドブロックおよびポリエチレングリコールブロックを含む生分解性コポリマー、イソ酪酸酢酸スクロース複合体、有機溶液中のポリ−ラクチド−コ−グリコリド、または有機溶液中のポリラクチドを含む、請求項１〜１０のいずれか一項に記載の複合薬物送達材料。
【請求項１２】
前記ポリマーが、ポリラクチドポリマーである、請求項１〜１１のいずれか一項に記載の複合薬物送達材料。
【手続補正書】
【提出日】平成27年12月29日(2015.12.29)
【手続補正１】
【補正対象書類名】特許請求の範囲
【補正対象項目名】全文
【補正方法】変更
【補正の内容】
【特許請求の範囲】
【請求項１】
配列番号３２、配列番号２、配列番号５、配列番号８、配列番号１０、配列番号１３、配列番号１４及び配列番号２９からなる群より選択されるアミノ酸配列を含む、単離されたペプチド。
【請求項２】
２０以下のアミノ酸残基を有する、請求項１に記載のペプチド。
【請求項３】
配列番号３２、配列番号２、配列番号５、配列番号８、配列番号１０、配列番号１３、配列番号１４又は配列番号２９からなる、請求項１又は２に記載のペプチド。
【請求項４】
２０以下のアミノ酸残基を有し、配列番号３０、配列番号３、配列番号６、配列番号９、配列番号１１、配列番号１５又は配列番号２６を含む、単離されたペプチド。
【請求項５】
配列番号１、配列番号４、配列番号７、配列番号１２、配列番号２７、配列番号２８又は配列番号３１を含む、請求項４に記載のペプチド。
【請求項６】
配列番号１、配列番号４、配列番号７、配列番号１２、配列番号２７、配列番号２８又は配列番号３１からなる、請求項４に記載のペプチド。
【請求項７】
請求項１〜６のいずれか一項に記載のペプチドをコードする、単離された核酸。
【請求項８】
請求項７に記載の核酸を含むベクター。
【請求項９】
ベクターが、プラスミド、酵母、ポックスウイルス、レトロウイルス、アデノウイルス、ヘルペスウイルス、ポリオウイルス、アルファウイルス、バキュロウイルス、及びシンドビスウイルスからなる群より選択される、請求項８に記載のベクター。
【請求項１０】
ベクターが、オルソポックス、アビポックス、カプリポックス、及びスイポックスウイルスからなる群より選択されるポックスウイルスである、請求項９に記載のベクター。
【請求項１１】
ポックスウイルスが、ワクシニア、鶏痘、及びカナリア痘ウイルスからなる群より選択される、請求項１０に記載のベクター。
【請求項１２】
（ｉ）請求項１〜６のいずれか一項に記載の１つ以上のペプチド、（ｉｉ）請求項７に記載の１つ以上の核酸、又は（ｉｉｉ）請求項８〜１１のいずれか一項に記載の１つ以上のベクターを含む、単離された細胞。
【請求項１３】
細胞がヒトである、請求項１２に記載の細胞。
【請求項１４】
細胞が、抗原提示細胞又は腫瘍細胞である、請求項１２又は１３に記載の細胞。
【請求項１５】
（ａ）（ｉ）請求項１〜６のいずれか一項に記載の１つ以上のペプチド、（ｉｉ）請求項７に記載の１つ以上の核酸、（ｉｉｉ）請求項８〜１１のいずれか一項に記載の１つ以上のベクター、又は（ｉｖ）請求項１２〜１４のいずれか一項に記載の１つ以上の細胞、及び
（ｂ）医薬上許容される担体
を含む組成物。
【請求項１６】
さらに免疫賦活／制御分子を含む、請求項１５に記載の組成物。
【請求項１７】
免疫賦活／制御分子が、インターロイキン（ＩＬ）−２、ＩＬ−４、ＩＬ−６、ＩＬ−１２、インターフェロン（ＩＦＮ）−γ、腫瘍壊死因子（ＴＮＦ）−α、Ｂ７．１、Ｂ７．２、ＩＣＡＭ−１、ＬＦＡ−３、ＣＤ７０、ＲＡＮＴＥＳ、Ｇ−ＣＳＦ、ＯＸ−４０Ｌ、４１ＢＢＬ、抗ＣＴＬＡ−４、及びそれらの組み合わせからなる群より選択される、請求項１６に記載の組成物。
【請求項１８】
免疫賦活／制御分子が、（ｉ）キトサンと複合化した、ＩＬ−１２をコードするプラスミド、及び（ｉｉ）キトサンと混合した組換えＩＬ−１２からなる群より選択される、請求項１６に記載の組成物。
【請求項１９】
化学療法剤、抗生物質、抗ウイルス薬、抗真菌薬、シクロフォスファミド、又はそれらの組み合わせをさらに含む、請求項１５〜１８のいずれか一項に記載の組成物。
【請求項２０】
１つ以上のアジュバントをさらに含む、請求項１５〜１９のいずれか一項に記載の組成物。
【請求項２１】
１つ以上のアジュバントが、ミョウバン、アルミニウム塩、リン酸アルミニウム、水酸化アルミニウム、アルミニウムシリカ、リン酸カルシウム、不完全フロイントアジュバント、ＱＳ２１、ＭＰＬ−Ａ、ＲＩＢＩＤＥＴＯＸＴＭ、及びそれらの組み合わせからなる群より選択される、請求項２０に記載の組成物。
【請求項２２】
顆粒球単球コロニー刺激因子（ＧＭ−ＣＳＦ）をさらに含む、請求項１５〜２１のいずれか一項に記載の組成物。
【請求項２３】
リポソームをさらに含む、請求項１５〜２２のいずれか一項に記載の組成物。
【請求項２４】
対象において免疫応答を増強するための、請求項１５〜２３のいずれか一項に記載の組成物。
【請求項２５】
対象においてＭＵＣ１を発現する癌を抑制するための、請求項１５〜２３のいずれか一項に記載の組成物で刺激されたリンパ球を含む組成物。
【請求項２６】
対象においてＭＵＣ１を発現する癌を抑制するための、請求項１５〜２３のいずれか一項に記載の組成物で処理された樹状細胞を含む組成物。
【請求項２７】
対象においてＭＵＣ１を発現する癌を抑制するための、養子移入されるＴ細胞を産生する方法であって、請求項１５〜２３のいずれか一項に記載の組成物でｉｎ ｖｉｔｒｏにてＴ細胞を刺激する工程を含む、方法。
【手続補正２】
【補正対象書類名】明細書
【補正対象項目名】００１７
【補正方法】変更
【補正の内容】
【００１７】
本発明はさらに、対象においてＭＵＣ１を発現する癌の抑制であって、（ａ）癌に罹患した対象から末梢血単核細胞（ＰＢＭＣｓ）を得る工程、（ｂ）該ＰＢＭＣｓから樹状細胞を単離する工程、（ｃ）ペプチド、核酸、ベクター又は細胞を含む組成物で該樹状細胞をｅｘ ｖｉｖｏにて処理する工程、（ｄ）処理した樹状細胞で該ＰＢＭＣｓをｅｘ ｖｉｖｏにて活性化する工程、（ｅ）活性化したＰＢＭＣｓからＴリンパ球をｅｘ ｖｉｖｏで単離する工程、及び（ｆ）単離したＴリンパ球を対象へ投与する工程を含み、該対象においてＭＵＣ１を発現する癌が抑制される、癌の抑制を提供する。
【手続補正３】
【補正対象書類名】明細書
【補正対象項目名】００６２
【補正方法】変更
【補正の内容】
【００６２】
ペプチド、核酸、ベクター、細胞、又はそれらの組成物は、単独で、又はアジュバントと組み合わせて、リポソーム内への取り込み（例、米国特許第５，６４３，５９９号、５，４６４，６３０号、５，０５９，４２１号、及び４，８８５，１７２号に記載）、サイトカインとともに、生物学的応答修飾物質（例、インターフェロン、インターロイキン−２（ＩＬ−２）、及びコロニー刺激因子（ＣＳＦ、ＧＭ−ＣＳＦ、及びＧ−ＣＳＦ））とともに、又は免疫応答を増強することが公知の、当分野の他の試薬とともに投与され得る。
【手続補正書】
【提出日】平成27年12月11日(2015.12.11)
【手続補正１】
【補正対象書類名】特許請求の範囲
【補正対象項目名】全文
【補正方法】変更
【補正の内容】
【特許請求の範囲】
【請求項１】
以下の一般式(I)に対応するブロックトメルカプトシラン:
(HO) R12  Si ─ Z ─ S ─ C (= O) ─ A        (I)
・同一または異なっている記号R1は、各々1〜18個の炭素原子を持つ直鎖または分岐アルキル基、シクロアルキル基またはアリール基から選択される一価の炭化水素基を表し、
・記号Aは水素原子または1〜18個の炭素原子を持つ直鎖または分岐アルキル基、シクロアルキル基またはアリール基および2〜8個の炭素原子を持つ直鎖または分岐アルコキシアルキル基から選択される一価の炭化水素基を表し、
・記号Zは1〜18個の炭素原子を含む二価の結合基を表す。
【請求項２】
前記ZがO、SおよびNから選択される、1またはそれ以上のヘテロ原子を含む、請求項1記載のメルカプトシラン。
【請求項３】
・前記記号R1が、メチル、エチル、n-プロピルおよびイソプロピル基から選択され、
・前記記号Aが1〜18個の炭素原子を持つアルキル基およびフェニル基から選択され、
・前記記号ZがC1-C18アルキレン基およびC6-C12アリーレン基から選択される、
請求項1および2の何れか1項に記載のメルカプトシラン。
【請求項４】
前記ZがC1-C10アルキレン基から選択される、請求項3記載のメルカプトシラン。
【請求項５】
前記ZがC1-C4アルキレン基から選択される、請求項4記載のメルカプトシラン。
【請求項６】
前記記号R1がメチル基である、請求項3〜5の何れか1項に記載のメルカプトシラン。
【請求項７】
前記Aが、1〜7個の炭素原子を持つアルキル基およびフェニル基から選択される、請求項3〜6の何れか1項に記載のメルカプトシラン。
【請求項８】
前記記号R1がメチル基であり、前記Zがプロピレン基であり、かつ前記Aがヘプチル基である、請求項3〜7の何れか1項に記載のメルカプトシラン。
【請求項９】
以下の段階を含むことを特徴とする、請求項1〜8の何れか1項に記載のメルカプトシランの製造方法：
・出発物質が以下の式(B)のブロックトメルカプトシラン(以下、製品Bと呼ぶ)であり:
(R2O) R12 Si ─ Z ─ S ─ C (= O) ─ A        (B)
ここで、R1、AおよびZは、上記一般式(I)におけるものと同一の意味を持ち、
同一または異なっているR2は、1〜6個の炭素原子を持つアルキル基から選択される一価の炭化水素基を表し、
・上記式(I)で表される、目標とするブロックトメルカプトシランの製造を可能とする、加水分解を酸性媒体中で行う。
【請求項１０】
請求項1〜8の何れか1項に記載のメルカプトシランの、カップリング剤としての使用。
【請求項１１】
ゴム組成物における、請求項1〜8の何れか1項に記載のメルカプトシランの、カップリング剤としての使用。